(57)【要約】  本発明は、少なくとも１つのネットワーク要素を内部に備えた、建造物用の絶縁材料から作られたモジュール式要素；モジュール式要素を連結することによって得られたネットワーク；モジュール式要素を連結することによって実現されたネットワークに硬化材を流し込み、支持構造を介してそれらを接合することによって実現された支持構造；ならびにそれらを得るためのプロセスに関する。モジュール式要素は、垂直および斜めのチャネルを介して連結された、少なくとも２つの主要なハーフジョイントで構成された内部ネットワーク要素を有し、任意選択で、１つまたは複数の副次的なハーフジョイントを有することができる。モジュール式要素を組み立てることによって得られるネットワークは、垂直、水平および斜めのチャネルを介して連結される、主要および副次的なジョイントで構成される。単体の支持構造は、建造物全体のための単体のネットワーク中に硬化する材料を流し込むことによって得られる。本発明による建造物を得るためのプロセスは、モジュール式要素を連結するステップと、モジュール式要素の連結によって画定されたネットワーク中に硬化する材料を流し込むステップと、単体の支持構造を作り出すステップから成り立つ。
2009509074.tif 000002
【特許請求の範囲】
【請求項１】
垂直なチャネル（４）および斜めのチャネル（５）を介して連結された、主要なハーフジョイント（２）および副次的なハーフジョイント（３）ならびに２つのジョイント要素（６）で構成されることを特徴とする、建造物用のモジュール式要素（１）。
【請求項２】
垂直なチャネル（４）および斜めのチャネル（５）を介して連結された２つの主要なハーフジョイント（２）および２つの副次的なハーフジョイント（３）ならびに４つのジョイント要素（６）で構成されることを特徴とする、建造物用のモジュール式要素（７）。
【請求項３】
垂直なチャネル（４）および斜めのチャネル（５）を介して連結された４つの主要なハーフジョイント（２）および２つの主要なハーフジョイント（３）ならびに８つのジョイント要素（６）で構成されることを特徴とする、建造物用のモジュール式要素（８）。
【請求項４】
垂直なチャネル（４）および斜めのチャネル（５）を介して連結された４つの主要なハーフジョイント（２）、ならびに一方が上側、他方が下側の２つのジョイント要素（６）で構成されることを特徴とする、建造物用のモジュール式要素（９）。
【請求項５】
垂直なチャネル（４）、斜めのチャネル（５）および水平のチャネル（１２）を介して連結された２つの主要なハーフジョイント（２）および並列パイプ（１１）ならびに４つのジョイント要素を内部に有することを特徴とする、建造物用のモジュール式要素（１０）。
【請求項６】
３つの主要な開放型のチャネルを内部に有し、そのうち２つが平行であり（１３）、他の１つ（１４）が前記２つに対して直角であることを特徴とする、モジュール式要素（１８）。
【請求項７】
請求項１から請求項６に記載の、垂直なチャネル（４）、水平なチャネル（１２）および斜めのチャネル（５）を介して連結された主要なジョイント（２）および副次的なジョイント（３）で構成されることを特徴とする、モジュール式要素を連結することによって得られるネットワーク。
【請求項８】
請求項１から請求項７に記載され、ポリウレタン、ポリイミド、ポリエチレン、ポリプロピレン、塩化ビニル重合体、ポリ塩化ビニリデン、アミノ樹脂、フェノール樹脂、シリコーン、発泡ポリスチレンおよびケイ酸ナトリウムをベースとする合成発泡材で構成されることを特徴とする、モジュール式要素。
【請求項９】
請求項１から請求項７に記載され、モジュール式要素を連結することによって得られるネットワークに硬化材料を流し込むことによって実現され、前記硬化材料がコンクリート、ポリエステル樹脂、エポキシ樹脂、ポリウレタン樹脂であることを特徴とする、単体の支持構造。
【請求項１０】
請求項１から請求項９に記載され、モジュール式要素の連結によって得られる絶縁構造の内部において、単体の支持構造で構成されることを特徴とする、モジュール式要素の建造物。
【発明の詳細な説明】
【技術分野】
【０００１】
本発明は、少なくとも１つのネットワーク要素を内部に備えた、建造物用の絶縁材料から作られたモジュール式要素；モジュール式要素を連結することによって得られたネットワーク；モジュール式要素を連結することによって実現されたネットワークに硬化材を流し込み、支持構造を介してそれらを接合することによって実現された支持構造；ならびにそれらを得るためのプロセスに関する。
【背景技術】
【０００２】
コンクリートパネルが土木工学業界で幅広い用途に使用されており、したがって、建設にかかる時間が短縮されている。プレキャストパネルは、コンクリートを型に流し込むこと（コンクリート打ち）によって製造される。硬化後に、パネルは建設現場で垂直に設置される。
【０００３】
パネルは絶縁されていないため、絶縁作業は高価であり多くの手作業を含むので、後の段階でそれらを絶縁する際には欠点がある。
他の欠点は、寸法の大きい天井の場合には十分な強度がないので、天井に使用することができないことである。
【０００４】
米国特許第２００２０１７０７０号には、モジュールを相互に連結し、それらをコンクリートで充填することによって絶縁された、コンクリート壁面構造の建物を対象とした発泡プラスチックモジュールが記載されている。そのモジュールは発泡ポリスチレン製である。各モジュールは、剛性ブロックの形状であり、コンクリートで充填されるように設計された内部構成を有する。さらに、強度を高めるために、金属またはプラスチックの棒材のネットワークがモジュールの内側に挿入される。この技術的な解決法の欠点は、コンクリートの消費率が高いこと、内側チャネルが垂直および水平線に沿って直角に配置されていることによる、コンクリートを打つ際の流動の問題、さらに、棒材のネットワークによってもたらされた、複雑すぎる建造物および追加の手作業にある。
【０００５】
ＷＯ２００５０５９２６４は、コンクリート構造用の発泡ポリウレタンまたはポリスチレンに関する。絶縁断熱ブロック要素が、台形、円形、楕円または放物線の形状をした、垂直の空隙の形状である内部構成を有する。ブロックがコンクリートで充填された後で得られる構造は、良好な強度特性および最適な断熱を有し；さらには、線形構造の強度は、コンクリートがいくつかの方向に流れ込む構造より劣る。
【０００６】
米国特許第４９４２７０７号には、流し込み中にコンクリート用の型枠になるいくつかの空隙またはチャネルを備えた、固定された絶縁に基づいた天井または屋根構造が記載されている。天井または屋根の形状に構造を連結するのに続いて、コンクリートがそれらの空隙またはチャネルに流し込まれる。こうした技術的な解決法の欠点は、コンクリートの消費率が高いことであり、さらに、それは天井および屋根にしか適用できない。
【０００７】
コンクリートの流し込みのための内部チャネルを有する絶縁要素の他の主な欠点は、それらが壁面、天井など、建物の要素にしかならず、完全な建造物のための適切な支持構造を得るために必要な特性を満たすことができないことである。
【０００８】
本発明によって解決される問題点は、単純で費用対効果の高い手順を使用して、コンクリートの要素を形成することなしに、単体構造の強度および適切な断熱性を有する建造物を実現することである。
【発明の開示】
【発明が解決しようとする課題】
【０００９】
本発明の目的は、絶縁材料からできたモジュール式要素の連結によって画定され形成された単体のネットワーク中に硬化材料を流し込むことにより、建造物に適した単体の支持構造を実現することである。
【課題を解決するための手段】
【００１０】
本発明の一実施形態によれば、モジュール式要素は、垂直および斜めのチャネルを介して連結された、少なくとも２つの主要なハーフジョイントで構成された内部ネットワーク要素を有し、任意選択で、１つまたは複数の副次的なハーフジョイントを有することができるので、前述の欠点を解消する。
【００１１】
本発明の他の実施形態によれば、モジュール式要素は、垂直および斜めのチャネルを介して連結された２つの主要なハーフジョイントおよび２つの副次的なハーフジョイントで構成された内部ネットワーク要素を有するので、前述の欠点を解消する。
【００１２】
本発明の他の実施形態によれば、モジュール式要素は、垂直および斜めのチャネルを介して連結された、４つの主要なハーフジョイントおよび２つの副次的なハーフジョイントで構成された内部ネットワーク要素を有するので、前述の欠点を解消する。
【００１３】
本発明の他の実施形態によれば、モジュール式要素は、垂直および斜めのチャネルを介して連結された４つの主要なハーフジョイントで構成された内部ネットワーク要素を有するので、前述の欠点を解消する。
【００１４】
本発明の他の実施形態によれば、モジュール式要素は、垂直、水平および斜めのチャネルを介して連結された、２つの主要なハーフジョイントおよび並列パイプで構成された内部ネットワーク要素を有するので、前述の欠点を解消する。
【００１５】
本発明の他の実施形態によれば、モジュール式要素は、３つの主要な開放型のチャネルを内部に有し、それらのうち２つが互いに平行であり１つがそれら２つに対して直角であるので、前述の欠点を解消する。
【００１６】
本発明の他の実施形態によれば、モジュール式要素は、奇数のジョイント要素を有し、少なくとも２つのジョイント要素がそれぞれ、または４つのジョイント要素が均等に上側および下側部分に配置されるので、前述の欠点を解消する。
【００１７】
本発明の一実施形態によれば、モジュール式要素を組み立てることによって得られるネットワークは、垂直、水平および斜めのチャネルによって連結された、主要および副次的なジョイントで構成されるので、前述の欠点を解消する。
【００１８】
本発明の他の実施形態によれば、単体の支持構造は、建造物全体のための単体のネットワーク中に硬化する材料を流し込むことによって得られるので、前述の欠点を解消する。
本発明の他の実施形態によれば、建造物は、モジュール式要素を連結することによって得られる、絶縁構造の内側の単体の支持構造で構成されるので、前述の欠点を解消する。
【００１９】
本発明の他の実施形態によれば、本発明による建造物を得るためのプロセスは、モジュール式要素を連結するステップと、モジュール式要素の連結によって画定されたネットワーク中に硬化する材料を流し込むステップと、単体の支持構造を作り出すステップから成り立つので、前述の欠点を解消する。
【００２０】
本発明によれば、モジュール式要素は、ポリウレタン、ポリイミド、ポリエチレン、ポリプロピレン、ポリ塩化ビニル、ポリ塩化ビニリデン、アミノ樹脂、フェノール樹脂、シリコーン、発泡ポリスチレンおよびケイ酸ナトリウムをベースとする合成発泡材で構成される。
【００２１】
ネットワーク要素は、垂直、斜めまたは水平のチャネル、ならびに互いに直角に交差する開放型のチャネルを介して連結された、円筒形、球形、角柱または先細りの形状を有する接続部（joint）である。
【００２２】
硬化し支持構造を形成するために本発明によるネットワーク中に流し込まれる材料は、コンクリート、鉄筋コンクリート、ポリエステル樹脂、エポキシ樹脂、ポリウレタン樹脂のうち１つであってよい。
【００２３】
例えば、１階建ての建物のための構築手順は、基礎、壁面、天井、アーチ型の屋根用のモジュール式要素の連結、特定のモジュール式要素によって画定されたネットワーク中への材料の流し込みを含み、その材料は、硬化し、建物の組立体では単体であるが、建物の各部分に関しては特定の、支持構造を形成する。
【００２４】
本発明の適用により以下の利点が得られる。
単純で費用対効果の高い手順を使用して、コンクリートの要素を形成することなしに、単体構造の強度および適切な断熱性を有する建造物を実現する；
建造物が従来のプロセスと比べてより短期間で実現される；
建造物の抵抗性が他のプロセスと比べて高い。
【００２５】
本発明を実現する一例を、添付の図面と併せて以下に与える。
【発明を実施するための最良の形態】
【００２６】
例１：型枠に注入し型枠の寸法で発泡させることによる、耐火構造のポリウレタン発泡材から、壁面（図１）、コーナー（図４）、基礎（図５）、天井（図６）用のモジュール式要素が実現される。
【００２７】
モジュール式要素は、以下の寸法を有する。
壁面用のモジュール式要素は、寸法が１２０／６０／３０ｃｍであり、直径１６ｃｍの垂直なチャネル、直径１２ｃｍの斜めのチャネルおよび２０ｃｍのジョイント要素を有する。
【００２８】
コーナー用のモジュール式要素は、一方は寸法が１２０／６０／３０ｃｍであり、もう一方は、６０／６０／３０ｃｍであり、直径１６ｃｍの垂直なチャネル、直径１２ｃｍの斜めのチャネルおよび２０ｃｍのジョイント要素を有する。
【００２９】
基礎用のモジュール式要素は、寸法が１２０／６０／６０ｃｍであり、直径２０ｃｍの垂直なチャネル、直径１４ｃｍの斜めのチャネルおよび２０ｃｍのジョイント要素を有する。
【００３０】
天井用のモジュール式要素は、寸法が１２０／６０／２０ｃｍであり、１５／１５ｃｍのチャネルを有する。
基礎１５およびコーナー用のモジュール式要素、次いで、天井１７用のモジュール式要素、次いで壁面１６およびコーナー用モジュール式要素が組み立てられ、続いて、形成されたネットワークに流動性の高いコンクリートＢ３００を流し込むことによって、図７に示された建造物を実現することができる。
【００３１】
硬化後には、壁面の強度は応力で１００トン／メートルになる。
【図面の簡単な説明】
【００３２】
【図１】垂直なチャネル（４）および斜めのチャネル（５）を介して連結された主要なハーフジョイント（２）および副次的なハーフジョイント（３）ならびに２つのジョイント要素（６）からなるネットワーク要素を内部に有するモジュール式要素（１）を示す図である。
【図２】垂直なチャネル（４）および斜めのチャネル（５）を介して連結された２つの主要なハーフジョイント（２）および２つの副次的なハーフジョイント（３）ならびに４つのジョイント要素（６）からなるネットワーク要素を内部に有するモジュール式要素（７）を示す図である。
【図３】垂直なチャネル（４）および斜めのチャネル（５）を介して連結された４つの主要なハーフジョイント（２）および２つの副次的なハーフジョイント（３）ならびに８つのジョイント要素（６）からなるネットワーク要素を内部に有するモジュール式要素（８）を示す図である。
【図４】垂直なチャネル（４）および斜めのチャネル（５）を介して連結された４つの主要なハーフジョイント（２）、ならびに１つが上側、もう１つが下側の、２つのジョイント要素（６）からなるネットワーク要素を内部に有する基礎用のモジュール式要素（９）を示す図である。
【図５】垂直なチャネル（４）および斜めのチャネル（５）および水平のチャネル（１２）を介して連結された２つの主要なハーフジョイント（２）および並列パイプ（１１）ならびに４つのジョイント要素（６）を内部に有するコーナー用のモジュール式要素（１０）を示す図である。
【図６】３つの主要な開放型のチャネルを内部に有し、そのうち２つが互いに平行なチャネル（１３）であり、１つのチャネル（１４）が他の２つに対して直角である、天井用のモジュール式要素（１８）を示す図である。
【図７】基礎（１５）、壁面（１６）および天井（１７）を構成するモジュール式要素からなる建造物を示す図である。
【図１】
2009509074.tif 000003
【図２】
2009509074.tif 000004
【図３】
2009509074.tif 000005
【図４】
2009509074.tif 000006
【図５】
2009509074.tif 000007
【図６】
2009509074.tif 000008
【図７】
2009509074.tif 000009
【国際調査報告】
2009509074.tif 000010
2009509074.tif 000011
2009509074.tif 000012
2009509074.tif 000013